(57)【要約】【課題】上位装置または他のフィールド機器が有する情報をフィールド機器へ送信し、フィールド機器の表示手段に表示させることができるフィールド機器を実現する。【解決手段】通信バスを介して接続される他の機器と通信すると共に、プロセスの測定または制御を実行し、自身の内部データを表示する表示手段を具備するフィールド機器において、  前記他の機器より送信される表示情報を前記表示手段に表示させる外部情報処理手段を備える。【選択図】図１
2012123446.tif 000002
【特許請求の範囲】
【請求項１】
通信バスを介して接続される他の機器と通信すると共に、プロセスの測定または制御を実行し、自身の内部データを表示する表示手段を具備するフィールド機器において、
前記他の機器より送信される表示情報を前記表示手段に表示させる外部情報処理手段を備えることを特徴とするフィールド機器。
【請求項２】
前記他の機器は、前記通信バスを介して接続される上位装置であることを特徴とする請求項１に記載のフィールド機器。
【請求項３】
前記他の機器は、前記通信バスを介して接続されるフィールド機器であることを特徴とする請求項１または２に記載のフィールド機器。
【請求項４】
前記上位装置は、前記通信バスを介して他のフィールド機器の情報を収集して表示情報としてダウンロードすることを特徴とする請求項１乃至３のいずれかに記載のフィールド機器。
【請求項５】
前記表示情報は、表示内容と表示制御情報であることを特徴とする請求項１乃至４のいずれかに記載のフィールド機器。
【請求項６】
前記表示制御情報は、表示期間または表示回数、表示周期、一回の表示時間、表示形態の少なくともいずれかであることを特徴とする請求項５に記載のフィールド機器。
【発明の詳細な説明】
【技術分野】
【０００１】
本発明は、通信バスを介して接続される他の機器と通信すると共に、自身の内部データを表示する表示手段を具備するフィールド機器に関するものである。
【背景技術】
【０００２】
図２は、従来のフィールド機器が接続された分散型制御システムの構成を示す機能ブロック図である。プラントに配置され、プロセスの測定や制御を実行するフィールド機器１０、２０、３０はフィールドバス４０に接続されている。
【０００３】
これらフィールド機器は、フィールドバス４０と制御バス５０間に接続された入出力装置６０を介して、制御バス５０に接続された上位装置（ＨＯＳＴ）７０と通信し、上位装置からの指令を受信してプロセスの測定や制御を実行する。
【０００４】
フィールド機器内部の機能構成を、フィールド機器１０を代表として示す。フィールド機器１０において、演算処理部１１は内部データ表示手段１２を有し、自身の内部データをＬＣＤ等で構成される表示手段１３に表示させる。
【０００５】
演算処理部１１は、センサ１４による測定信号を入力し、メモリ１５にアクセスして処理し測定値を計算する。同時に、フィールド機器自身の診断処理を行い、機器の状態(エラー、アラーム等)を求め、測定値と機器の状態を表示手段１３に表示することができる。
【０００６】
演算処理部１１は、フィールドバス４０とのインターフェースする通信モジュール１６を介して上位装置７０と通信し、測定値と機器の状態を上位装置７０へ送信すると共に、上位装置７０から設定されるパラメータ情報を表示手段１３に表示することができる。
【先行技術文献】
【特許文献】
【０００７】
【特許文献１】特開２００２−０８１７６号公報
【発明の概要】
【発明が解決しようとする課題】
【０００８】
従来構成のプロセスの測定または制御を実行するフィールド機器では、表示手段１３は自分自身の情報（測定値、フィールド機器の状態、設定情報等）のみが表示できる。従って、上位装置７０または他のフィールド機器が有する各種の情報を表示手段１３に表示させ、現場のユーザに提供する機能を備えていない。
【０００９】
本発明の目的は、上位装置または他のフィールド機器が有する情報をフィールド機器へ送信し、フィールド機器の表示手段に表示させることができるフィールド機器を実現することにある。
【課題を解決するための手段】
【００１０】
このような課題を達成するために、本発明は次の通りの構成になっている。
（１）通信バスを介して接続される他の機器と通信すると共に、プロセスの測定または制御を実行し、自身の内部データを表示する表示手段を具備するフィールド機器において、
前記他の機器より送信される表示情報を前記表示手段に表示させる外部情報処理手段を備えることを特徴とするフィールド機器。
【００１１】
（２）前記他の機器は、前記通信バスを介して接続される上位装置であることを特徴とする（１）に記載のフィールド機器。
【００１２】
（３）前記他の機器は、前記通信バスを介して接続されるフィールド機器であることを特徴とする（１）または（２）に記載のフィールド機器。
【００１３】
（４）前記上位装置は、前記通信バスを介して他のフィールド機器の情報を収集して表示情報としてダウンロードすることを特徴とする（１）乃至（３）のいずれかに記載のフィールド機器。
【００１４】
（５）前記表示情報は、表示内容と表示制御情報であることを特徴とする（１）乃至（４）のいずれかに記載のフィールド機器。
【００１５】
（６）前記表示制御情報は、表示期間または表示回数、表示周期、一回の表示時間、表示形態の少なくともいずれかであることを特徴とする（５）に記載のフィールド機器。
【発明の効果】
【００１６】
本発明によれば、次のような効果を期待することができる。
（１）現場のユーサーがフィールド機器の表示手段により上位装置からの情報や他のフィールド機器の情報を得ることができる。
【００１７】
（２）上位装置からのファームウェア更新の通知、点検の通知、現場の作業指示等を表示手段に表示させることができる。
【００１８】
（３）上位装置が他のフィールド機器の測定値等を収集して送信し、表示手段に他のフィールド機器の測定値等を表示させることできる。
【００１９】
（４）一台のフィールド機器にアラームが発生した場合、プラントエリアの全フィールド機器にアラーム表示させることによって、現場の人がどの機器を見てもアラームが発生していることが分かる。
【図面の簡単な説明】
【００２０】
【図１】本発明を適用フィールド機器が接続された分散型制御システムの一実施例を示す機能ブロック図である。
【図２】従来のフィールド機器が接続された分散型制御システムの構成を示す機能ブロック図である。
【発明を実施するための形態】
【００２１】
以下本発明を、図面を用いて詳細に説明する。図１は、本発明を適用フィールド機器が接続された分散型制御システムの一実施例を示す機能ブロック図である。図２で説明した従来構成と同一要素には同一符号を付して説明を省略する。
【００２２】
図２の従来構成に追加された本発明の特徴部は、演算処理部１１内に外部情報処理手段１００を設けた構成にある。外部情報処理手段１００は、フィールドバス４０とインターフェースする通信モジュール１６を介して上位装置７０から送られてきた表示情報（表示内容と表示制御情報）を受信し、表示制御情報に従って表示内容を表示手段１３に表示させる。
【００２３】
図１に示した実施例では、上位装置７０がフィールド機器１０へ送信する表示情報を収集する。表示情報は、例えば、入力した現場のユーザーへの作業指示やお知らせ情報、フィールドバス４０を介して収集した他のフィールド機器の測定値や機器状態を示す情報等である。
【００２４】
上位装置７０は、収集した表示情報の内容と共に、表示手段１３に対する表示制御情報を特定のフィールド機器へ、または、フィールドバス４０に接続された全フィールド機器へ表示要求として送信する。表示に関する制御情報は、表示周期、表示時間、表示回数、表示形態(反転、点滅)等である。
【００２５】
フィールドバスには、HART（登録商標）という規格がある。HARTの場合は、上位装置であるＨＯＳＴからフィールド機器へコマンドによる通信を行う。コマンドのデータ部はパラメータで構成されている。ＨＯＳＴからフィールド機器へのHARTリクエストコマンドのパラメータの一例を、（ａ）乃至（ｅ）に示す。
【００２６】
HARTコマンドのパラメータ：
（ａ）表示内容(文字列)
（ｂ）表示期間：一週間
（ｃ）表示周期：一日に一回
（ｄ）表示時間：一回に２時間表示する
（ｅ）表示形態：反転表示
【００２７】
フィールド機器１０の外部情報処理手段１００は、上位装置７０より受信した表示制御情報に従って、表示手段１３に表示情報の内容を表示する。表示内容は、表示制御情報のパラメータで指定された表示時間を経過したら、自動的に消去される。または、フィールド機器に付いているスイッチ手段（図示せず）の操作により、この表示内容を消すこともできる。
【００２８】
図１に示した実施例では、表示情報は上位装置７０からフィール機器１０へ送信して表示手段１３に内容を表示させているが、フィールド機器１０は、上位装置７０から表示情報を受信すると共に、フィールドバス４０に接続された他のフィール機器から送信される表示情報を受信して表示手段１３に内容を表示させることができる。なお、上位装置７０またはフィールド機器２０、３０は、任意の内容をフィールド機器１０の表示手段１３に表示させることができる。
【００２９】
フィールド機器１０における表示手段１３としては、消費電力の小さいＬＣＤで実現することが一般的であるが、これに限定されるものではなく、任意の選択が可能である。
【００３０】
図１に示した実施例では、フィールド機器１０は、センサ１４の測定値を処理して上位装置７０に送信する機能構成を説明したが、上位装置から与えられるパラメータ設定値に基づいてメモリに格納された制御アプリケーションを実行してプロセスを制御する操作信号を出力する機能（図示せず）も備えている。
【符号の説明】
【００３１】
１０  フィールド機器
１１  演算処理部
１２  内部データ表示手段
１３  表示手段
１４  センサ
１５  メモリ
１６  通信モジュール
２０、３０  フィールド機器
４０  フィールドバス
５０  制御バス
６０  入出力装置
７０  上位装置
１００  外部情報処理手段
【図１】
2012123446.tif 000003
【図２】
2012123446.tif 000004